(57)【要約】【課題】メガネのフロントフレームのリムにレンズを取付ける構造であって、素人であっても手軽にレンズの交換が可能と成り、しかもレンズが欠けたり、割れたりすることのないレンズ取付け構造の提供。【解決手段】ハーフリム２には２本のピン７，７を突出し、レンズ外周には外周溝８を形成して張力が負荷された水糸９を嵌め、又外周溝８より深い切欠き溝１１，１１を形成し、そしてハーフリム２から突出したピン７，７を切欠き溝１１，１１に嵌合してレンズ１を取付ける。【選択図】        図１
2004252293.tif 000002
【特許請求の範囲】
【請求項１】
メガネのフロントフレームのリムにレンズを取付ける構造において、上記リムには少なくとも２本のピンを突出し、又レンズ外周には外周溝を形成して張力が負荷された高張力糸を嵌めると共に、外周溝より深い切欠き溝を形成し、上記リムに取着した上記ピンを切欠き溝に嵌合したことを特徴とするメガネのレンズ取付け構造。
【請求項２】
上記リムとしてハーフリムを用いた請求項１記載のメガネのレンズ取付け構造。
【請求項３】
レンズ外周の内側に配置した外周部材に高張力糸の先端を止着して、高張力糸に張力を負荷して外周溝に嵌めた請求項１、又は請求項２記載のメガネのレンズ取付け構造。
【請求項４】
上記外周部材から延びる脚の先端に鼻当てパットを取付けた請求項３記載のメガネのレンズ取付け構造。
【発明の詳細な説明】
【０００１】
【発明の属する技術分野】
本発明はメガネのレンズが簡単に取付け、取外しが出来るレンズ取付け構造に関するものである。
【０００２】
【従来の技術】
図５は従来の一般的なメガネであり、フロント部（イ）はレンズ（ロ）、（ロ）が嵌る両リム（ハ）、（ハ）を有し、リム（ハ）、（ハ）は連結部材（ニ）によって連結され、リム（ハ）、（ハ）の外側にロウ付けされたヨロイ（ホ）、（ホ）には蝶番等の継手（ヘ）、（ヘ）を介してツル（ト）、（ト）が折畳み出来るように取付けられている。又、リム（ハ）、（ハ）の内側であって、連結部材（ニ）の下方には鼻当てパット（チ）、（チ）が備わっている。
【０００３】
ところで、リム（ハ）にレンズを嵌める場合、又嵌っているレンズを取外す場合には、リム（ハ）の切口を閉じているブローチ（リムロック）のネジを緩めて周長を拡大する。該ブローチはヨロイ（ホ）の内側に設けられているが、該ブローチのネジを緩めてレンズの交換を行うことは、素人にとっては簡単ではない。
【０００４】
一方、メガネには図５に示すようなリング状のフルリムを備えたメガネだけでなく、ハーフリムを有して水糸との組み合わせでレンズを保持する形式のメガネも多用されている。すなわち、レンズの上側はハーフリムにて拘束されると共に、水糸はレンズ外周の下側溝に嵌って張設することで保持することが出来る。水糸の両端は上記ハーフリム先端に抜けないように止着されているが、このハーフリム形式のメガネの場合も、該レンズの交換は一般人にとって困難である。
【０００５】
さらに、多用されているメガネとしては、リムを用いないで両レンズを連結部材に直接ネジ止めし、レンズ外側にはヨロイを直接ネジ止めした形式の縁なしメガネが存在する。この縁なしメガネの場合も、レンズの交換は不可能である。レンズの所定の位置にネジが挿通する穴を正確に加工することは慣れない人にとって不可能である。
【０００６】
レンズの取付け・取外しがワンタッチで簡単に行い得るレンズの取付け方法として、特開２００１−２１５４４９が知られている。この方法は、「ハーフリム枠にレンズを取付けたいハーフリム眼鏡であって、レンズが該レンズ全周を囲むレンズ取付具に取付けられ、該レンズ取付け具がハーフリム枠に一点で固定された補助リム枠を介して取付けている。」
【０００７】
このようにレンズの取付けは簡単となってワンタッチで行うことが出来るが、レンズの全周を囲むレンズ取付け具及びハーフリム枠に固定される補助リム枠を構成部材として必要になる。従って製作コストは高くなると共に、メガネの重量も大きくなってしまう。
【０００８】
そして、従来形式のメガネの場合、多少を問わずレンズの一部が欠けたり、レンズが割れるといった問題が発生する。これは、メガネを不注意で落とした場合に限らず、レンズが嵌るリムの形状が合わない為にブローチをネジ締めすることで局部的な応力が作用し、また縁なしメガネではレンズをネジ止めする穴に集中応力が作用することで亀裂が発生してレンズの割れを誘発する。
【０００９】
【発明が解決しようとする課題】
このように、従来のメガネではレンズの交換及びレンズの割れ防止に関して上記のごとき問題がある。本発明が解決しようとする課題はこれら問題点であり、素人であっても手軽にレンズの交換が可能と成り、しかもレンズが欠けたり割れたりすることのない、メガネのレンズ取付け構造を提供する。
【００１０】
【課題を解決する為の手段】
本発明に係るレンズ取付け構造はリムにレンズを嵌めるのではなく、リムの正面又は背面に取付けられる。リムからは少なくとも２本のピンが突出し、該ピンによってレンズを挟み込んで挟持する構造としている。ここで、リムはリング状のフルリムに限らず、ハーフリムとすることも可能である。
【００１１】
そしてレンズ外周には溝が形成されると共に水糸などの高張力糸が外周溝に嵌められる。又レンズ外周部には切欠き溝が形成され、該切欠き溝にリムから突出したピンが嵌合する。該切欠き溝の深さはレンズ外周に設けている外周溝より深く、その為に外周溝に嵌っている高張力糸は切欠き溝を横切った状態で張設される。
【００１２】
ところで、該切欠き溝にピンを嵌合するならば高張力糸を押圧・湾曲させ、レンズはピンを介してリムに取付けられる。この場合、切欠き溝の底には高張力糸が介在することで、ピンが切欠き溝面に直接当たることはなく、その為に切欠き溝から亀裂が発生することはなく、レンズの割れを防止出来る。以下、本発明に係る実施例を図面に基づいて詳細に説明する。
【００１３】
【実施例】
図１は本発明に係るレンズ取付け構造を備えたメガネのフロント部の一部を示している。同図の１はレンズ、２はハーフリム、３は連結部材、４はヨロイ、５は鼻当てパットを表している。上記ハーフリム２，２は連結部材３の両サイドにロウ付け固定され、ハーフリム２，２の外側にはヨロイ４，４がロウ付けされている。そして、同図には表されていないが、ヨロイ４，４には蝶番などの継手を介してツルが折畳み出来るように取付けられる。
【００１４】
図２はレンズ１が取付けられる前のフロントフレーム６の一部であるが、ハーフリム２の両側にはピン７，７が水平に突出している。ピン７の形状は特に限定しないことにするが、ストレートピン、中間部位を細く窪ませた形状、又は先端に外径の大きなボスを形成したピンとすることも可能である。
【００１５】
図３はレンズ１を示しているが、レンズ１の外周には外周溝８が形成され、該外周溝８には水糸９が嵌っている。そして、レンズ１の外周内側には外周部材１０が配置され、上記水糸９の両先端は外周部材１０に止着されている。ここで、止着方法は限定しないが、一般的には２個の小さな穴を近接した位置に貫通し、両穴に該水糸先端を挿通することで抜けない様に止着される。これは、従来のハーフリムにレンズを保持する際に使用されている水糸の止着手段であるが、その他にも色々な方法を用いることは自由である。
【００１６】
レンズ１の外周溝８に所定の張力が負荷された状態で嵌って一周した水糸９は外周部材１０に両端が止着されることで該水糸９は外周溝８から外れることはなく、又外周部材１０も所定の位置に配置される。そして、外周部材１０からは脚が延びて先端には鼻当てパット５が取着されている。勿論、水糸先端の止着手段として、上記外周部材１０を用いなくても水糸両端を互いに連結固定したリング状として、これをレンズ外周溝８に嵌めることも可能である。
【００１７】
従って、この場合の鼻当てパットの取り付けは、連結部材３から脚を延ばしたり、又はレンズ１に穴を設けて脚を直接ネジ止めすることも出来る。図３（ａ）におけるＢ部拡大図を（ｃ）に示しているが、レンズ外周の両側には切欠き溝１１，１１を形成している。該切欠き溝１１は外周溝８より深く、その為に外周溝８に嵌っている水糸９は切欠き溝１１を横切ることになる。
【００１８】
ところで、該レンズ１は図２に示すハーフリム２に取付けられることになる訳で、ハーフリム２から突出したピン７，７はレンズ１の切欠き溝１１，１１に嵌合する。図４はピン７が切欠き溝１１に嵌合した場合の拡大図を示しているが、同図に示すように水糸９はピン７に押されて湾曲し、該水糸９に作用する張力は一段と大きくなり、レンズ１はガタ付くことなく安定してハーフリム２に取付けられる。
【００１９】
実施例では、フロントフレーム６はハーフリム２が用いられているが、リング状のフルリムとすることも出来る。そして、ピンは２本に限らず３本ないし４本とすることも可能である。又、レンズ１はハーフリム２の正面側でなく、背面側に取付けることもあり得る。
【００２０】
以上述べたように、本発明のレンズ取付け構造はレンズ外周に形成した外周溝に水糸などの高張力糸を嵌めると共に外周には切欠き溝を形成し、リムから突出したピンを切欠き溝に嵌めたものであり、つぎのような効果を得ることが出来る。
【００２１】
【発明の効果】
本発明に係るメガネのレンズ取付け構造は、該レンズをワンタッチでフロントフレームのリムに取付けることが出来る。すなわち、リムから突出したピンをレンズ外周に形成した切欠き溝に嵌めるだけでよく、レンズ外周溝に嵌っている高張力糸を押圧してレンズはリムに取付けられる。切欠き溝に嵌るピンは高張力糸を湾曲し、その結果、高張力糸に作用する張力は大きくなり、取付けられるレンズはガタ付くことなく安定する。
【００２２】
そして、ピンはレンズの切欠き溝に嵌るが、溝底には高張力糸が介在して直接溝底面に当たらない為に、切欠き溝から亀裂が発生したり、該亀裂に基づいてレンズが割れることはない。しかも、本発明のレンズ取付け構造はリムにピンを突出させ、レンズ外周溝には高張力糸を嵌めると共にピンが嵌合する切欠き溝を形成しただけの簡単な構造であり、製作コストも安くなる。
【図面の簡単な説明】
【図１】本発明に係るレンズ取付け構造を備えたメガネのフロント部。
【図２】ハーフリムを備えたフロントフレーム。
【図３】切欠き溝を形成したレンズ。
【図４】切欠き溝にピンが嵌合した場合。
【図５】従来の一般的なメガネ。
【符号の説明】
１  レンズ
２  ハーフリム
３  連結部材
４  ヨロイ
５  鼻当てパット
６  フロントフレーム
７  ピン
８  外周溝
９  水糸
１０  外周部材
１１  切欠き溝
【図１】
2004252293.tif 000003
【図２】
2004252293.tif 000004
【図３】
2004252293.tif 000005
【図４】
2004252293.tif 000006
【図５】
2004252293.tif 000007